(57)【要約】      （修正有）【課題】レンズ交換の操作性を低下させる事なく、レンズの盗難を防止することを可能にしたレンズ交換可能な撮像装置の提供。【解決手段】指紋を読み取る指紋センサ部６０１をレンズロック釦表面に設けたレンズロック釦と、指紋センサ部６０１により読み取られた指紋を登録する記憶装置６０５と、指紋センサ部６０１により読み取られた指紋を記憶装置６０５に記憶している指紋と一致するかを判断するための制御部６０３と、指紋認証結果を表示する事の出来る表示部６１０と、レンズロック釦を押下することにより起動する指紋認証ユニット６００を備え、レンズロック釦を押下すると連動して動くレンズロックピンをレンズロック釦と連動して動かないようにするレンズロック部６０４と、を備え、レンズロック釦が押下されると、指紋センサにより指紋を読み取り、予め登録してある指紋と照合を行い、一致した場合にのみ、レンズロック部の施錠・解錠動作を行う。【選択図】図２
2012159627.tif 000002
【特許請求の範囲】
【請求項１】
レンズ交換可能な撮像装置であって、レンズ交換の際に押下するレンズロック釦と、レンズ装着時にレンズを固定するためのレンズロックピンを持ち、レンズロック釦を押下するとレンズロックピンが連動して動く機構と、を備えた撮像装置であって、
レンズロック釦が押下された際に指紋を読み取る指紋センサ部（６０１）をレンズロック釦表面に設けた指紋センサを備えたレンズロック釦（７０３）と、指紋センサ部（６０１）により読み取られた指紋を登録する記憶装置（６０５）と、指紋センサ部（６０１）により読み取られた指紋を記憶装置（６０５）に記憶している指紋と一致するかを判断するための制御部（６０３）と、指紋認証結果を表示する事の出来る表示部（６１０）と、レンズロック釦を押下することにより起動する指紋認証ユニット（６００）を備え、レンズロック釦を押下すると連動して動くレンズロックピンをレンズロック釦と連動して動かないようにするレンズロック部（６０４）と、を備え、
レンズロック釦が押下されると、指紋センサにより指紋を読み取り、予め登録してある指紋と照合を行い、一致した場合にのみ、レンズロック部の施錠・解錠動作を行う事を特徴とする撮像装置。
【請求項２】
指紋認証ユニット（６００）に、レンズロック釦を押下すると発電を行う事が出来る発電部（６０８）と、発電部（６０８）により発生した電流を整流する整流回路（６０７）と、整流回路（６０７）より充電されることが出来る電源部（６０６）を設け、制御部（６０３）が電源部（６０６）と通信を行い、電源部（６０６）の残容量がレンズロック部（６０４）の施錠・解錠動作を行うのに充分で無いと判断した場合、レンズロック釦（７０３）を押下することにより発電し、電源部（６０６）を充電することにより、指紋認証ユニットを動作するための電力を供給することが出来ることを特徴とする請求項１に記載の撮像装置。
【請求項３】
レンズロック釦（７０３）を押下した際、指紋認証動作を行うかどうかの設定をする事が出来ることを特徴とする請求項１に記載の撮像装置。
【発明の詳細な説明】
【技術分野】
【０００１】
本発明は、レンズ交換可能な撮像装置に関し、特に指紋認証機構を備えたレンズ交換可能な撮像装置に関するものである。
【背景技術】
【０００２】
従来、レンズ交換可能なカメラ（撮像装置）には、セキュリティ機能として、その使用者を所有者に限定するためにカメラ所有者の指紋を予めカメラに登録しておき、カメラを使用する際に使用者の指紋を検出し、使用者が所有者ではなかった場合にカメラの撮影やデータの再生及び処理が出来ないようにしたものが開発されている (特許文献１)。
また、レンズ交換可能なカメラ本体の盗難防止装置としては、カメラを載置する支持台と先端部に支持台のみが通過可能な環状部を形成した索条からなり、固定側部材へ連結することにより盗難を防止する装置が開発されている（特許文献２）。
【先行技術文献】
【特許文献】
【０００３】
【特許文献１】特開２０００−１１５６２４号公報
【特許文献２】特開平１１−１３４５６５号公報
【発明の概要】
【発明が解決しようとする課題】
【０００４】
しかしながら、上述の特許文献に開示された従来技術では、カメラ本体や取得したデータの保護は出来ても交換レンズに対しては何ら策が施されておらず、レンズを取り外すことによりレンズのみを盗難する事は防止出来なかった。
【０００５】
また、上述の特許文献に開示された従来技術では、指紋の認証の際、カメラ本体の電源をオンする必要があり、カメラ本体を動作させるための電池容量が不足している場合や電池を所持していない場合、認証動作を行えないといった問題があった。
【０００６】
加えて、上述の特許文献に開示された従来技術では、指紋を検出する機能がシャッター釦に備えられているため、従来技術によってレンズの保護機能を実現させようとするとレンズ交換の際、わざわざシャッター釦に触れて認証を行う必要があり、操作性が低下するという問題が発生すると考えられる。
【０００７】
そこで、本発明の目的は、レンズ交換の操作性を低下させる事なく、レンズの盗難を防止することを可能にしたレンズ交換可能な撮像装置を提供することである。
【課題を解決するための手段】
【０００８】
上記目的を達成するために、本発明は、レンズ交換可能な撮像装置であって、レンズ交換の際に押下するレンズロック釦と、レンズ装着時にレンズを固定するためのレンズロックピンを持ち、レンズロック釦を押下するとレンズロックピンが連動して動く機構と、を備えた撮像装置であって、レンズロック釦が押下された際に指紋を読み取る指紋センサ部（６０１）をレンズロック釦表面に設けた指紋センサを備えたレンズロック釦（７０３）と、指紋センサ部（６０１）により読み取られた指紋を登録する記憶装置（６０５）と、指紋センサ部（６０１）により読み取られた指紋を記憶装置（６０５）に記憶している指紋と一致するかを判断するための制御部（６０３）と、指紋認証結果を表示する事の出来る表示部（６１０）と、レンズロック釦を押下することにより起動する指紋認証ユニット（６００）を備え、レンズロック釦を押下すると連動して動くレンズロックピンをレンズロック釦と連動して動かないようにするレンズロック部（６０４）と、を備え、レンズロック釦が押下されると、指紋センサにより指紋を読み取り、予め登録してある指紋と照合を行い、一致した場合にのみ、レンズロック部の施錠・解錠動作を行う事を特徴とする。
【発明の効果】
【０００９】
本発明によれば、レンズ交換の操作性を低下させる事なく、レンズの盗難を防止することを可能にしたレンズ交換可能な撮像装置を提供することができる。
【図面の簡単な説明】
【００１０】
【図１】本願発明の第一の実施形態に適用するレンズ交換可能なカメラとマウント部分の拡大図
【図２】本願発明の第１及び第２及び第３の実施形態に適用する電子カメラ１００のブロック図
【図３】本願発明の第一の実施形態における指紋登録のフローチャート
【図４】本願発明の第一の実施形態におけるレンズロック釦施錠のフローチャート
【図５】本願発明の第一の実施形態における解錠時のレンズ盗難防止機構周辺図
【図６】本願発明の第一の実施形態における施錠時のレンズ盗難防止機構周辺図
【図７】本願発明の第一の実施形態における充電制御時のフローチャート
【図８】本願発明の第一の実施形態におけるレンズロック釦解錠のフローチャート
【図９】本願発明の第二の実施例における認証動作設定ＯＦＦ設定時のフローチャート
【図１０】本願発明の第二の実施例における認証動作設定ＯＮ設定時のフローチャート
【発明を実施するための形態】
【００１１】
以下に、本発明の好ましい実施の形態を、添付の図面に基づいて詳細に説明する。
【００１２】
［実施例１］
図１は、本発明の実施形態にかかわるレンズ交換可能なカメラとマウント部分の拡大図である。
【００１３】
同図においてレンズロックピン７０２はカメラボディ７００のレンズマウント７０１に備えられ、カメラボディ７００に交換レンズが装着された場合にカメラとレンズを固定するものである。
【００１４】
実施例としてはバヨネット式のレンズマウントを想定している。カメラボディのマウント側、交換レンズ側双方に同数の爪が設けられており、交換レンズをカメラボディに差し込み、交換レンズを一定角度回転させる。
【００１５】
するとカメラボディに備えられているレンズロックピンが交換レンズに備えられているレンズロックピンが入るための穴に差し込まれることで交換レンズがカメラボディに固定される。
【００１６】
指紋認証を備えたレンズロック釦７０３はレンズロックピンと連動しており、カメラボディ７００に装着された交換レンズを取り外す際に指紋認証を備えたレンズロック釦７０３を押下することにより、レンズロックピン７０２も押し下げられる構造になっている。
【００１７】
レンズロックピン７０２が押し下げられた状態で交換レンズを装着時とは反対側に回転させる事によりレンズの取り外しが可能となる。本発明の詳細な説明の前に図２を用いて本発明の実施の形態に適用される電子カメラについて説明を行う。
【００１８】
図２は本発明の実施の形態に適用される電子カメラ１００の構成を示すブロック図である。
【００１９】
１２は撮像素子１４の露光量を制御する機能を有したシャッタである。１４は光学像を電気信号に変換する撮像素子である。
【００２０】
レンズユニット３００内の撮影レンズ３１０に入射した光線は、絞り３１２、レンズマウント３０６、１０６、シャッタ１２を通じて一眼レフ方式により導かれた撮像素子１４上に光学像として結像する。
【００２１】
１６は撮像素子１４から出力されるアナログ信号をディジタル信号に変換するＡ／Ｄ変換器である。
【００２２】
１８は撮像素子１４、Ａ／Ｄ変換器１６およびＤ／Ａ変換器２６にクロック信号や制御信号を供給するタイミング発生回路であり、メモリ制御回路２２およびシステム制御部５０によって制御される。
【００２３】
２０は画像処理回路であり、Ａ／Ｄ変換器１６からのデータあるいはメモリ制御回路２２からのデータに対して所定の画素補間処理や色変換処理を行う。
【００２４】
２２はメモリ制御回路であり、Ａ／Ｄ変換器１６、タイミング発生回路１８、画像処理回路２０、画像表示メモリ２４、Ｄ／Ａ変換器２６、メモリ３０および圧縮・伸長回路３２を制御する。
【００２５】
３０は撮影された静止画像や動画像を格納するためのメモリであり、所定枚数の静止画像や所定時間の動画像を格納するのに十分な記憶容量を有している。
【００２６】
５０は電子カメラ１００全体を制御するシステム制御部であり、既知のＣＰＵなどを内蔵する。
【００２７】
５２はシステム制御部５０の動作用の定数、変数、プログラムなどを記憶するメモリである。メモリ５２には後述する図７のフローチャートとして示されるプログラムが記憶されている。
【００２８】
５４はシステム制御部５０でのプログラムの実行に応じて、文字、画像、音声などで動作状態やメッセージなどを表示する液晶表示装置、スピーカなどを有する表示部であり、電子カメラ１００の操作部近辺の視認し易い単数あるいは複数箇所に設置されている。
【００２９】
表示部５４は、ＬＣＤ、ＬＥＤ、発音素子などの組み合わせにより構成されている。また、表示部５４の一部の機能は光学ファインダ１０４内に設けられている。
【００３０】
表示部５４の表示内容のうち、ＬＣＤなどに表示するものとしては、シングルショット／連写撮影表示、セルフタイマ表示、圧縮率表示、記録画素数表示、記録枚数表示、残撮影可能枚数表示。また、シャッタスピード表示、絞り値表示、露出補正表示、フラッシュ表示、赤目緩和表示、マクロ撮影表示、ブザー設定表示、エラー表示、複数桁の数字による情報表示、記録媒体２００。さらに２１０の着脱状態表示、レンズユニット３００の着脱状態表示、通信Ｉ／Ｆ動作表示、日付・時刻表示、外部コンピュータとの接続状態を示す表示などがある。
【００３１】
また、表示部５４の表示内容のうち、光学ファインダ１０４内に表示するものとしては、合焦表示、撮影準備完了表示、手振れ警告表示、フラッシュ充電表示、フラッシュ充電完了表示。さらに、シャッタスピード表示、絞り値表示、露出補正表示、記録媒体書き込み動作表示などがある。
【００３２】
また、表示部５４の表示内容のうち、ＬＥＤ等に表示するものとしては、例えば、合焦表示、撮影準備完了表示、手振れ警告表示、フラッシュ充電表示、フラッシュ充電完了表示。さらに記録媒体書き込み動作表示、マクロ撮影設定通知表示、二次電池充電表示などがある。
【００３３】
また、表示部５４の表示内容のうち、ランプ等に表示するものとしては、例えば、セルフタイマ通知ランプ等がある。このセルフタイマ通知ランプはＡＦ補助光と共用してもよい。
【００３４】
５６は後述するプログラムなどが格納された電気的に消去・記録可能な不揮発性メモリであり、不揮発性メモリとしてフラッシュメモリやＥＥＰＲＯＭなどが用いられる。
【００３５】
６０、６２、６４、６６、６８および７０はシステム制御部５０の各種動作指示を入力するための操作部であり、スイッチ、ダイヤル、タッチパネル、視線検知によるポインティング、音声認識装置などの単数あるいは複数の組み合わせで構成される。これら操作部の詳細を以下に示す。
【００３６】
６０はモードダイアルスイッチであり、自動撮影モード、プログラム撮影モード、シャッタ速度優先撮影モード、絞り優先撮影モード、マニュアル撮影モード焦点深度優先（デプス）撮影モード。
【００３７】
他にもポートレート撮影モード、風景撮影モード、接写撮影モード、スポーツ撮影モード、夜景撮影モード、パノラマ撮影モードなどの各機能撮影モードを切り替えて設定可能である。
【００３８】
６２はシャッタースイッチ（ＳＷ１）であり、シャッターボタン（図示せず）の操作途中でＯＮとなり、ＡＦ（オートフォーカス）処理、ＡＥ（自動露出）処理、ＡＷＢ（オートホワイトバランス）処理、ＥＦ（フラッシュ調光）処理などの動作開始を指示する。
【００３９】
６４はシャッタースイッチ（ＳＷ２）であり、シャッターボタン（図示せず）の操作完了でＯＮとなる。
【００４０】
７１は電源着脱検知部であり電池の装着の有無を検出する。
【００４１】
７２は電源スイッチであり、電子カメラ１００の電源オン、電源オフの各モードを切り替え設定可能である。
【００４２】
また、電子カメラ１００に接続されたレンズユニット３００、外部ストロボ、記録媒体２００、２１０等の各種付属装置の電源オン、電源オフの設定も合わせて切り替え設定可能である。
【００４３】
８０は電源制御部であり、電池検出回路、ＤＣ−ＤＣコンバータ、通電するブロックを切り替えるスイッチ回路などから構成されている。
【００４４】
電池の種類、電池残量の検出を行い、その検出結果およびシステム制御部５０の指示に基づいてＤＣ−ＤＣコンバータを制御し、必要な電圧を必要な期間、記録媒体を含む各部に供給する。
【００４５】
８４および８６はコネクタで電源８８との接続部である。
【００４６】
３００は交換レンズタイプのレンズユニットである。
【００４７】
３０６はレンズユニット３００を電子カメラ１００と機械的に結合するレンズマウントである。レンズマウント３０６内には、レンズユニット３００を電子カメラ１００と電気的に接続する各種機能が含まれている。
【００４８】
３１０は撮影レンズ、３１２は絞りである。
【００４９】
３２０はレンズマウント３０６内でレンズユニット３００を電子カメラ１００と接続するためのインターフェースである。
【００５０】
３２２はレンズユニット３００を電子カメラ１００と電気的に接続するコネクタである。コネクタ３２２は電子カメラ１００とレンズユニット３００との間で制御信号、状態信号、データ信号などを伝え合うと共に、各種電流が供給され、あるいは電流を供給する機能を備えている。また、コネクタ３２２は電気信号だけでなく、光信号、音声信号などを伝達する構成としてもよい。
【００５１】
３４０は測光制御部４６からの測光情報に基づいて、シャッタ１２を制御するシャッタ制御部４０と連携しながら、絞り３１２を制御する絞り制御部である。
【００５２】
３４２は撮影レンズ３１０のフォーカシングを制御する測距制御部である。
【００５３】
３４４は撮影レンズ３１０のズーミングを制御するズーム制御部である。
【００５４】
３５０はレンズユニット３００全体を制御するレンズシステム制御部である。
【００５５】
レンズシステム制御部３５０は、動作用の定数、変数、プログラムなどを記憶するメモリやレンズユニット３００固有の番号などの識別情報、管理情報、開放絞り値や最小絞り値、焦点距離等の機能情報、現在や過去の各設定値などを保持する不揮発メモリの機能も備えている。
【００５６】
１６０は時計であり、電源８８が抜かれた状態でも時計用電池１６１により電源を供給される。
【００５７】
本実施形態における電子カメラ１００はレンズ盗難防止用の指紋認証ユニット６００を備えている。
【００５８】
指紋センサ部６０１はレンズロック釦、指紋認証ユニット起動スイッチをかねており、指紋センサ部をユーザが押下することにより、制御部６０３が起動し、認証動作を開始する。
【００５９】
詳細な動作については後にフローチャートを用いて説明する。指紋センサ６０１はI/F６０２を介して制御部６０３に読み取った指紋画像を送る。制御部６０３は指紋画像の処理、照合処理等を行う。
【００６０】
また、制御部６０３はレンズロック部の動作制御も行う。記憶装置６０５には制御部が動作するためのプログラム、ユーザ情報等が記憶されている。
【００６１】
発電部６０８、整流回路６０７、電池部６０６は指紋認証ユニット６００に電源を供給している。
【００６２】
制御部６０３は電源部６０６と通信を行い、電源部の残容量などの情報を通信する事が出来る。
【００６３】
電源部６０６の充電は発電部６０８による充電だけでなく、電源８８から充電を行うようにしても良い。
【００６４】
表示６１０は指紋認証動作が成功しなかった場合や指紋認証動作後の施錠・解錠動作を行うために必要な電池残容量が無い場合の警告表示を行うためのものである。液晶装置で実現しても良いし、ＬＥＤひとつで実現しても良い。
【００６５】
以下、図を参照して、本発明の第1の実施例を説明する。
【００６６】
まず指紋の登録についての説明を図３のフローチャートを用いて行う。
【００６７】
Ｓ１では電子カメラ１００を使用者が操作部７０等を操作し、指紋登録を開始した後、システム制御５０は画像表示２８に「登録ユーザ名を入力してください。」などの表示を行い、使用者に操作部７０による登録ユーザ名の入力を促す。
【００６８】
登録ユーザ名の入力完了後、Ｓ２では指紋センサ部６０１では指が当てられている部分の指紋を読み取り短冊状のスライス画像として制御部６０３に送る。
【００６９】
Ｓ３ではシステム制御５０は制御部６０３に登録されたユーザ名を送り、制御部６０３は指紋センサ部６０１で読み取られた指紋画像を処理し、システム制御５０より送られてきた登録ユーザ名と関連づけて記憶装置６０５に記憶し、完了する。
【００７０】
次に装着した交換レンズの施錠についての説明を図４のフローチャートを用いて行うがその前に、レンズ盗難防止用の指紋認証ユニット６００の構造についての説明を図５を用いて行う。
【００７１】
解錠時は指紋センサを備えたレンズロック釦７０３を押下することにより、施錠部９０４も押下され、施錠部９０４がレンズロックピン７０２と連動しているためにレンズロックピン７０２もへこむ。
【００７２】
これにより使用者は交換レンズを取り外す事が出来る。施錠時には図２の制御部６０３がモータ９０７を駆動させ、ギア９０３が回転する事により施錠部９０４がレンズロックピン７０２と連動して動く事が無い位置まで移動する。
【００７３】
これにより指紋センサを備えたレンズロック釦７０３を押下してもレンズロックピン７０２がへこまない状態になり、レンズを交換することが出来なくなる。
【００７４】
解錠時は制御部６０３はモータ９０７を逆回転し、施錠部９０４がレンズロックピン７０２と連動して指紋認証を備えたレンズロック釦７０３が動作出来る位置まで施錠部９０４を移動させる。
【００７５】
交換レンズの施錠についての説明を図４のフローチャートを用いて行う。
【００７６】
指紋センサ部６０１が押下されると制御部６０３が起動され、指紋センサ部が押下された事を判断する。
【００７７】
その後、Ｓ１６にて制御部６０３はレンズ３００と通信を行い、電子カメラ１００にレンズが装着されているかどうかの判断を行う。レンズが装着されていないと判断された場合はそのまま処理を終了する。Ｓ１６にて制御部６０３がレンズ３００と通信を行った結果、レンズが接続されていると制御部６０３が判断した場合、制御部６０３はギア９０３の位相を検出し、レンズロック釦が施錠されているかの判断をＳ１７で行う。レンズロック釦が施錠されていないと制御部６０３が判断した場合、制御部６０３は電源部６０６の電池残容量を確認し、指紋認証動作、施錠に必要な電池残容量があるかどうかの判断をＳ１８にて行う。
【００７８】
Ｓ１８で制御部６０３により指紋認証動作、施錠に必要な電池残容量があると判断された場合、指紋読み取り動作へ移行する。
【００７９】
制御部６０３は指紋センサ部６０１に指紋を読み取り動作をさせる。（Ｓ１９）。
【００８０】
Ｓ２０、２１では制御部６０３が指紋センサ部６０１より送られる指紋画像と記憶装置６０５にある指紋との照合、判断を行う。
【００８１】
Ｓ２１で制御部６０３が読み取られた指紋と登録データが一致していると判断した場合、制御部６０３はレンズロック部６０４を動作させ、施錠動作を行う。Ｓ２１で制御部６０３が読み取られた指紋と登録データが一致していると判断しなかった場合、制御部６０３は表示６１０に「指紋が一致しません」等の警告表示を行わせ、処理を終了する。表示６１０がＬＥＤひとつの場合は指紋が一致しない場合は点滅表示などをさせることでユーザに指紋認証が成功しなかったことを知らせる。
【００８２】
Ｓ１８にてＳ１８で制御部６０３により認証、施錠に必要な電池残容量があると判断されなかった場合、充電処理へ移行する。
【００８３】
図７のフローチャートと図５、図２を用いて充電動作を説明する。
【００８４】
図２内の発電部６０８は図５にある磁石９０５とコイル９０６からなる。
【００８５】
指紋センサを備えたレンズロック釦７０３を押下することによりの指紋センサを備えたレンズロック釦７０３の下部に設置された磁石９０５がコイル９０６内を動くことにより起電力が発生し、電流が流れる。
【００８６】
指紋センサを備えたレンズロック釦７０３が押下された状態から戻る場合は逆向きの起電力が乗じるが図２の６０７整流回路を通じ、整流されて電源部６０６に充電される。充電処理ではＳ２６にて再度、制御部６０３により認証、施錠に必要な電池残容量があるかどうかの判断がされる。制御部６０３がＳ２６にて認証、施錠に必要な電池残容量がないと判断した場合、５秒待ち、再度Ｓ２６に戻る。この処理は充電が完了されるまで繰り返される。
【００８７】
充電が完了した場合はＳ１９へ移行する。
【００８８】
最後に施錠した交換レンズの開錠についての説明を図８のフローチャートを用いて行う。
指紋センサ部６０１が押下されると制御部６０３が起動され、指紋センサ部が押下された事を判断する。（Ｓ４）。
【００８９】
その後、Ｓ５にて制御部６０３はレンズ３００と通信を行い、電子カメラ１００にレンズが装着されているかどうかの判断を行う。レンズが装着されていないと判断された場合はそのまま処理を終了する。Ｓ５にて制御部６０３がレンズ３００との通信の結果、レンズが接続されていると制御部６０３が判断した場合、制御部６０３はギア９０３の位相を検出し、レンズロック釦が施錠されているかの判断をＳ６で行う。レンズロック釦が施錠されていると制御部６０３が判断した場合、制御部６０３は電源部６０６の電池残容量を確認し、認証、施錠に必要な電池残容量があるかどうかの判断をＳ７にて行う。
【００９０】
Ｓ７で制御部６０３により認証、施錠に必要な電池残容量があると判断された場合、指紋読み取り動作へ移行する。
【００９１】
制御部６０３は指紋センサ部６０１に指紋を読み取り動作をさせる。
【００９２】
Ｓ９、１０では制御部６０３が指紋センサ部６０１より送られる指紋画像と記憶装置６０５にある指紋との照合、判断を行う。
【００９３】
Ｓ１０で制御部６０３が読み取られた指紋と登録データが一致していると判断した場合、制御部６０３はレンズロック部６０４を動作させ、解錠動作を行い、処理を終了する。（Ｓ１１）。Ｓ１０で制御部６０３が読み取られた指紋と登録データが一致していると判断しなかった場合、制御部６０３は表示６１０に警告表示を行わせ、処理を終了する。
【００９４】
本実施例では制御部６０３がレンズ３００と通信を行う事により電子カメラ１００にレンズ１００が装着されているかどうかの判断を行っているが、レンズの装着が確認出来れば何でも良く、レンズ装着の確認方法については条件を限定しない。
【００９５】
本実施例では制御部６０３がＳ２６にて認証、施錠に必要な電池残容量がないと判断した場合、５秒待ち、再度Ｓ２６に戻るとしているが時間は５秒以外でもよい。また、充電完了を表示６１０でユーザに知らせるなどしても良い。さらに指紋センサについて、光学式、静電容量方式、感熱式などどのような方式でも構わない。
【００９６】
このように、本発明の第一の実施例によれば、レンズロック釦に指紋センサ部を備えることにより、レンズ交換の操作性を低下させる事なく、レンズが装着されたカメラからレンズのみを盗難するという事を防止することが出来る。
【００９７】
また、レンズロック釦を押下することにより発電し、指紋認証ユニットを動作するための電力を供給することが出来るため、カメラ本体の電源をオンすることなく、認証動作を行う事が出来る。
【００９８】
［実施例２］
指紋認証による施錠・解錠について、実施例１ではユーザが指紋センサを備えたレンズロック釦７０３を押下すると常に認証動作を行っている。しかし、頻繁にレンズを交換して使用する場合や盗難の可能性の無いところで使用している場合、レンズ交換の際に毎回認証動作を行う事は煩わしく、使い勝手がよくない。また、レンズロック部６０４を動作させるための電力も無駄となる。そのため、指紋センサを備えたレンズロック釦７０３を押下しても認証動作を行わない設定をユーザが選択出来ることが望ましい。
【００９９】
図９を用いて認証動作を行わない設定をユーザが選択出来る場合について、その動作を説明する。
【０１００】
本発明の実施形態にかかわるレンズ交換可能なカメラとマウント部分については実施例１と同様であるため、説明を省く。
【０１０１】
ユーザがカメラ１００の操作部７０を操作し、画像表示２８に表示される「認証動作設定ＯＦＦ」を選択する。（Ｓ２７）。
【０１０２】
その後、システム制御５０は制御部６０３にギア９０３の位相を検出し、レンズロック釦が施錠されているかの判断を行わせ、制御部６０３は判断結果をシステム制御５０に送る。（Ｓ２８）。Ｓ２８で制御部６０３がレンズロック釦が施錠されていないと判断し、システム制御５０に送信し、システム制御５０がその判断結果を受け取った場合、システム制御５０は制御部６０３の設定変更を行う。この設定変更により、指紋センサを備えたレンズロック釦７０３が押下されても起動しなくなる。（Ｓ３６）。
【０１０３】
その後、システム制御５０は画像表示２８に「認証動作設定ＯＦＦ設定しました」等の表示を行い、ユーザに認証動作設定がＯＦＦに設定された事を知らせる。（Ｓ３７）。
【０１０４】
Ｓ２８で制御部６０３が、ギア９０３の位相を検出し、レンズロック釦が施錠されていると判断し、システム制御５０に送信し、システム制御５０がレンズロック釦がその判断結果を受け取った場合は次の動作を行う。
【０１０５】
システム制御５０は画像表示２８に「指紋認証を行ってください。」等の表示を行い、ユーザに指紋センサを備えたレンズロック釦７０３の押下を促す。（Ｓ２９）。
【０１０６】
Ｓ３０で指紋センサを備えたレンズロック釦７０３が押されたと制御部６０３が判断した場合、制御部６０３は電源部６０６の電池残容量を確認し、制御部６０３はＳ３１で指紋認証動作、解錠に必要な電池残容量があるかどうかの判断をＳ３１にて行う。
【０１０７】
Ｓ３１で制御部６０３により認証、解錠に必要な電池残容量があると判断された場合、指紋読み取り動作へ移行する。Ｓ３１で制御部６０３により認証、解錠に必要な電池残容量があると判断されなかった場合、充電処理（Ｓ３８）へ移行する。
【０１０８】
充電処理が完了したらＳ３２にて指紋読み取り動作へ移行する。
【０１０９】
Ｓ３２では制御部６０３は指紋センサ部６０１に指紋を読み取り動作をさせる。
【０１１０】
Ｓ３３、３４では制御部６０３が指紋センサ部６０１より送られる指紋画像と記憶装置６０５にある指紋との照合、判断を行う。
【０１１１】
Ｓ３４で制御部６０３が読み取られた指紋と登録データが一致していると判断した場合、制御部６０３はレンズロック部６０４を動作させ、解錠動作を行う（Ｓ３５）。Ｓ３４で制御部６０３が読み取られた指紋と登録データが一致していると判断しなかった場合、制御部６０３は表示６１０に警告表示を行わせ、処理を終了する。
【０１１２】
Ｓ３５にてレンズロック釦の解錠の後、制御部６０３はレンズロック釦解錠完了したことをシステム制御５０に通信する。
【０１１３】
システム制御５０は制御部６０３のレンズロック釦解錠完了の通信を受けたら制御部６０３に通信を行い、指紋センサを備えたレンズロック釦７０３が押下されても認証動作を行わない設定に制御部６０３の設定変更を行う。（Ｓ３６）。
【０１１４】
Ｓ３６にて設定変更後、システム制御５０は画像表示２８に「認証動作設定ＯＦＦ  設定しました」などの表示を行い、ユーザに認証動作設定がＯＦＦに設定された事を知らせる。
【０１１５】
指紋センサを備えたレンズロック釦７０３が押下されても認証動作を行わない設定「認証動作設定ＯＦＦ」から指紋センサを備えたレンズロック釦７０３押下後、認証動作を行う設定「認証動作設定ＯＮ」に設定を変更する場合の動作について図１０を用いて説明する。
【０１１６】
Ｓ４０にてユーザがカメラ１００の操作部７０を操作し画像表示２８に表示される「認証動作設定ＯＮ」を選択後、システム制御５０は制御部６０３に通信を行い指紋センサを備えたレンズロック釦７０３が押下たら認証動作を行うよう制御部６０３の設定変更を行う。（Ｓ４１）。
【０１１７】
その後、システム制御５０は「認証動作設定ＯＮ設定しました」等の表示を画像表示２８に行い、動作を完了する。（Ｓ４２）。
【０１１８】
認証動作設定のＯＮ/ＯＦＦについて、本実施例ではカメラ１００を操作することにより設定変更を行ったが、設定変更の仕方は何でも良く、指紋認証機構を備えたレンズロック釦７０３を長押しすることにより設定変更する、などとしても良い。もしくは、レンズロック釦が解錠されているときのみ操作できるメカスイッチで実現しても良い。
【０１１９】
このように、本発明の第二の実施例によれば、認証動作設定のＯＮ/ＯＦＦを切り替えることが出来ることにより、指紋認証動作が不要な場合には設定をオフし、指紋認証動作による電力の使用がなくなり、かつ、スムースにレンズを交換することが可能になる。
【０１２０】
以上、本発明の好ましい実施形態について説明したが、本発明はこれらの実施形態に限定されず、その要旨の範囲内で種々の変形及び変更が可能である。
【符号の説明】
【０１２１】
６００  レンズ盗難防止用の指紋認証ユニット
６０１  指紋センサ部（レンズロック釦、指紋認証ユニット起動スイッチをかねる）
６０３  制御部
６０４  レンズロック部
６０８  発電部
７０２  レンズロックピン
７０３  指紋センサを備えたレンズロック釦
９０３  ギア
９０４  施錠部
９０５  磁石
９０６  コイル
９０７  モータ
【図１】
2012159627.tif 000003
【図２】
2012159627.tif 000004
【図３】
2012159627.tif 000005
【図４】
2012159627.tif 000006
【図５】
2012159627.tif 000007
【図６】
2012159627.tif 000008
【図７】
2012159627.tif 000009
【図８】
2012159627.tif 000010
【図９】
2012159627.tif 000011
【図１０】
2012159627.tif 000012